(57)【要約】【課題】非常呼の呼発信の成功率を高めるための、ハンドオフを利用した非常呼連結機能を有する無線通信端末機及びその方法を提供する。【解決手段】無線通信端末機において、外部機器とメッセージを送／受信するための無線送／受信手段と、網情報テーブルを格納するための格納手段と、非常呼の発信と関連する要請信号を入力されるための入力手段と、前記入力手段を介し入力された非常呼の発信と関連する信号に応じ第１基地局にチャンネル割り当て要請メッセージを送信し、その結果として網負荷通報メッセージを受信するに伴い、前記網情報テーブルから検索した第２基地局にチャンネル割り当て要請メッセージを送信して通話チャンネルを割り当てられるよう、前記各構成要素を制御するための制御手段とを含む。【選択図】図３
2007068188.tif 000002
【特許請求の範囲】
【請求項１】
無線通信端末機において、
外部機器とメッセージを送／受信するための無線送／受信手段と、
網情報テーブルを格納するための格納手段と、
非常呼の発信と関連する要請信号を入力されるための入力手段と、
前記入力手段を介し入力された非常呼の発信と関連する信号に応じ、第１基地局にチャンネル割り当て要請メッセージを送信し、その結果として網負荷通報メッセージを受信するに伴い、前記網情報テーブルから検索した第２基地局にチャンネル割り当て要請メッセージを送信して通話チャンネルを割り当てられるよう、前記各構成要素を制御するための制御手段と
を含むハンドオフを利用した非常呼連結機能を有する無線通信端末機。
【請求項２】
前記制御手段は、
前記網情報テーブルから、チャンネル割り当て可能性の大きい第２基地局を検索して当該基地局にチャンネル割り当て要請メッセージを送信し、複数の第２基地局のうち優先順位に従い最適の第２基地局を選択してチャンネル割り当てを要請する動作を繰り返し行い、通話チャンネルを最終割り当てられるよう、前記各構成要素を制御することを特徴とする請求項１に記載の無線通信端末機。
【請求項３】
前記網情報テーブルは、
各基地局のチャンネル、ＳＩＤ、ＮＩＤを含むことを特徴とする請求項１または２に記載の無線通信端末機。
【請求項４】
無線通信端末機におけるハンドオフを利用した非常呼連結方法において、
非常呼の発信と関連する要請信号が入力される入力段階と、
前記入力された非常呼の発信と関連する要請信号に応じ、第１基地局にチャンネル割り当て要請メッセージを送信する第１チャンネル割り当て要請段階と、
前記第１基地局から網負荷通報メッセージを受信する網負荷確認段階と、
既格納の網情報テーブルから第２基地局を検索する第２基地局検索段階と、
前記検索した第２基地局にチャンネル割り当て要請メッセージを送信して通話チャンネルを割り当てられるチャンネル割り当て段階と
を含むことを特徴とする無線通信端末機におけるハンドオフを利用した非常呼連結方法。
【請求項５】
前記第２基地局検索段階は、
前記網情報テーブルからチャンネル割り当て可能性の大きい第２基地局を検索し、複数の第２基地局のうち優先順位に従い最適の第２基地局を選択することを特徴とする請求項４に記載の非常呼連結方法。
【請求項６】
前記網情報テーブルは、
各基地局のチャンネル、ＳＩＤ、ＮＩＤを含むことを特徴とする請求項４または５に記載の非常呼連結方法。
【発明の詳細な説明】
【技術分野】
【０００１】
本発明は、ハンドオフを利用した非常呼連結機能を有する無線通信端末機及びその方法に関し、より詳しくは非常呼発信時、現在接続を試みた網に負荷が発生して割り当て可能な通話チャンネル（Traffic Channel）のない場合、チャンネル割り当て可能性のある他の網で接続を試みてチャンネルを割り当てられることにより、非常呼の呼発信の成功率を高めるための、ハンドオフを利用した非常呼連結機能を有する無線通信端末機及びその方法に関する。
【０００２】
本発明において無線通信端末機は移動通信端末機、個人携帯通信端末機（ＰＣＳ）、個人用デジタル端末機（ＰＤＡ）、スマートフォン、次世代移動通信端末機（ＩＭＴ−２０００）、無線ラン端末機などのように個人が携帯しながら無線通信の可能な端末機を含む。
【０００３】
そして、本発明において無線通信網は基地局、基地局制御器及び無線交換機などを含む網側のシステムを含む。
【０００４】
さらに、本発明において非常呼とは、至急通話チャンネルを割り当てなければならない呼のことであり、例えば火災通報電話、緊急センタ電話などのような各種緊急電話を非常呼として設定することができる。
【背景技術】
【０００５】
一般に、無線通信端末機の使用環境は、周波数帯域の使用効率を高めるため全体サービス地域を複数の基地局領域に分割し小規模のサービス領域であるセルで構成し、かかる複数の基地局等を基地局制御器及び交換機で集中制御し、無線通信端末機の使用者がセル間を移動しながらも通話を続けることができるようにする、セルラーシステムで成る。
【０００６】
このようなセルラーシステムでは、無線通信端末機が一つの基地局領域から他の基地局領域へ移動する時にも、断絶なく通話できるようにするハンドオフ機能を提供する。ここで、基地局制御器は基地局等及び交換機が円滑に通信できるよう有／無線信号を相互変換し、交換機は複数の基地局等のチャンネルを割り当て・管理し、各種信号を処理し、他の交換機を介し他の通信網と連結する機能を行う。
【０００７】
前述のように、ハンドオフとは使用者がセル間を移動しながらも通話を続けることができるよう自動に通話チャンネルを転換するものであって、同一のセル内で通話チャンネルのみを変更するセル内のハンドオフ（即ち、Intra-cell Handoff）、セル間のハンドオフ（即ち、Inter-cell Handoff）及び無線通信網間のハンドオフ（即ち、Intra-network Handoff）などに分かれる。
【０００８】
一方、無線通信端末機を利用して呼を発信する場合、現在接続の試み中の網（セルラー網）に負荷が発生し、呼連結が速やかになさられない可能性もある。
【０００９】
即ち、通話チャンネルとして割り当て可能な可用チャンネルが当該網に存在せず、呼連結が遅れることもある。特に、速やかに連結されなければならない非常呼の場合には、呼連結が遅れるに伴い他の被害が発生し得る問題点がある。
【００１０】
ところが、従来の技術に係る無線通信端末機においては、非常呼のための通話チャンネルが速やかに割り当てられない場合、現在負荷状態の当該網に繰り返しチャンネル割り当てを求める方式で呼連結を試みることにより、非常呼の呼発信の成功率が落ち、かつ不要なバッテリ消耗を起こすという問題点があった。
【００１１】
即ち、従来の技術に係る無線通信端末機は、網側から（網側の基地局から）網負荷通報メッセージを受信する場合（このメッセージが受信されると、網が負荷状態であることが分かり、Reorder Order Messageともいう）、既設定された限界回数ほど反復的に当該網にチャンネル割り当てを求めて、呼発信を試みており、それに伴い非常呼の発信の成功率が落ちるとともに繰り返される呼発信の試みにより不要にバッテリを浪費するという問題点があった。
【発明の開示】
【発明が解決しようとする課題】
【００１２】
本発明は前記の問題点を解決するために提案されたものであって、現在接続を試みた網（セルラー網）に負荷が発生し、これ以上割り当て可能な通話チャンネル（可用チャンネル）がない場合、チャンネル割り当て可能性の大きい他の網（セルラー網）へ移動（ハンドオフ）し、非常呼のためのチャンネルを割り当てられることにより、非常呼の呼発信の成功率を高めるための、ハンドオフを利用した非常呼連結機能を有する無線通信端末機及びその方法を提供することにその目的がある。
【００１３】
即ち、本発明は非常呼（例：火災通報電話）の発信時、現在接続を試みた網に可用チャンネルのない場合、同一の網に反復的に接続を試みるのではなく、チャンネル割り当ての可能性のある（負荷が発生しない）他の網に接続を試みてチャンネルを割り当てられることにより、非常呼の連結がより速やかに成されるようにするための、ハンドオフを利用した非常呼連結機能を有する無線通信端末機及びその方法を提供することにその目的がある。
【課題を解決するための手段】
【００１４】
本発明の装置は、無線通信端末機において、外部機器とメッセージを送／受信するための無線送／受信手段と、網情報テーブルを格納するための格納手段と、非常呼の発信と関連する要請信号を入力されるための入力手段と、前記入力手段を介し入力された非常呼の発信と関連する信号に応じ、第１基地局にチャンネル割り当て要請メッセージを送信し、その結果として網負荷通報メッセージを受信するに伴い、前記網情報テーブルから検索した第２基地局にチャンネル割り当て要請メッセージを送信して通話チャンネルを割り当てられるよう、前記各構成要素を制御するための制御手段とを含む。
【００１５】
一方、本発明の方法は、無線通信端末機におけるハンドオフを利用した非常呼連結方法において、非常呼の発信と関連する要請信号が入力される入力段階と、前記入力された非常呼の発信と関連する要請信号に応じ、第１基地局にチャンネル割り当て要請メッセージを送信する第１チャンネル割り当て要請段階と、前記第１基地局から網負荷通報メッセージを受信する網負荷確認段階と、既格納の網情報テーブルから第２基地局を検索する第２基地局検索段階と、前記検索した第２基地局にチャンネル割り当て要請メッセージを送信して通話チャンネルを割り当てられるチャンネル割り当て段階とを含む。
【発明の効果】
【００１６】
前記のような本発明は、非常呼発信時に通話チャンネルが割り当てられない場合、ハンドオフを利用して負荷が発生しない他の網から通話チャンネルを割り当てられることにより、非常呼の呼発信の成功率を高めるという効果が得られる。
【００１７】
さらに、本発明は現在接続を試みた網に負荷が発生したことを確認するに従い、ハンドオフを利用して他の網に移動することにより、負荷が発生した網に反復的にチャンネル割り当てを要請するに伴う不要なバッテリ消耗を減らすことができるようにするという効果が得られる。
【発明を実施するための最良の形態】
【００１８】
図１は、本発明に係るハンドオフを利用した非常呼連結機能を有する無線通信端末機の一実施例の構成を示す図である。
【００１９】
図１に示されているように、本発明に係るハンドオフを利用した非常呼連結機能を有する無線通信端末機は、外部機器と無線信号を送／受信するための無線送／受信部１１、網情報テーブル（Protocol Roaming List）などを格納するための格納部１２、非常呼の発信と関連する要請信号を入力されるための入力部（例えば、キーパッド）１３、制御部１５の制御に従い画面を出力するための表示部（ＬＣＤ）１４、入力部１３を介し非常呼の発信と関連する要請信号を入力されるに伴い、当該基地局にチャンネル割り当て要請メッセージ（或いはOrigination Messageともいう）を送信し、その結果として網負荷通報メッセージ（或いはReorder Order Messageともいう）を受信するに伴い、網情報テーブルを検索してチャンネル割り当て可能性の大きい他の基地局を探し出し、前記探し出した基地局にチャンネル割り当て要請メッセージを送信して通話チャンネルを割り当てられるよう、各構成要素を制御するための制御部１５、前記制御部１５の制御に従い無線送／受信部１１から伝達された信号を音声に変換して音声出力部（例えば、スピーカ）１７に出力し、音声入力部（例えば、マイク）１８から入力された音声を信号に変換して制御部１５に伝達し、無線送／受信部１１を介し送出されるようにするためのコーデック１６、前記コーデックから伝達された音声を出力するための音声出力部１７、音声を入力されて前記コーデック１６に伝達するための音声入力部１８を含む。
【００２０】
このとき、本発明において制御部１５は無線通信端末機の全般的な動作を制御するとともに、本発明に係るハンドオフを利用した非常呼連結機能を提供する。
【００２１】
即ち、制御部１５は非常呼発信時、現在サービス中の基地局（以下、第１基地局）から前記非常呼のための通話チャンネルを割り当てられない場合、チャンネル割り当ての可能性が大きい他の基地局（以下、第２基地局）に移動して（即ち、ハンドオフして）チャンネル割り当てを要請することにより、速やかな呼の連結がなされるよう各構成要素を制御する。ここで、最適の第２基地局は格納部１２に格納された網情報テーブルの検索を介して探し出す。
【００２２】
制御部１５の動作過程に対してより詳しく検討してみれば、制御部１５は入力部１３を介し非常呼の発信と関連する要請信号を入力されるに伴い、現在サービス中の第１基地局にチャンネル割り当て要請メッセージを送信する。例えば、火災通報電話に対するボタン入力に従い呼発信を試みることができる。
【００２３】
以後、前記第１基地局から網負荷通報メッセージを受信するに伴い、格納部１２に格納された網情報テーブルを検索してチャンネル割り当ての可能性が高い第２基地局等のうち最適の第２基地局を探し出す。即ち、網情報テーブルに格納されているチャンネル、ＳＩＤ（System Identification Number）、ＮＩＤ（Network Identification Number）などの項目別の情報を利用し、チャンネル割り当ての可能性が最も大きい第２基地局を探し出す。
【００２４】
そして、制御部１５は前記探し出した第２基地局にチャンネル割り当て要請メッセージを送信して非常呼の連結を再び試みる。以後、前記第２基地局から通話チャンネルを割り当てられるに伴い、呼連結と関連する一般的な動作を行う（通話後、使用者或いは相手側の端末機からの要請に従い呼の連結を解除する）。
【００２５】
ここで、前記第２基地局から通話チャンネルを割り当てられない場合には、網情報テーブルの検索を介し次善の第２基地局を探し出し、前記探し出した次善の第２基地局に非常呼のためのチャンネル割り当てを求めることができる。即ち、網情報テーブルに記録された各基地局別の優先順位に従い第２基地局等にチャンネル割り当てを求めることができる。
【００２６】
一方、格納部１２には制御部１５の動作プログラム、システムプログラムが格納され、動作プログラムやシステムプログラムは通常のロム（ＲＯＭ）領域に格納され必要により消去が可能である。そして、格納部１２は複数の動作プログラムを行う中に発生するデータを一時格納するラム（ＲＡＭ）を含む。さらに、格納部１２は各基地局のチャンネル、ＳＩＤ、ＮＩＤなどの項目別に記録されている網情報テーブルを格納する。
【００２７】
なお、入力部１３は複数の数字キー（文字キーも含む）とメニューキー及び各種機能を行うための機能キーなどでなり、外部の操作により制御部１５にキーデータを出力する。さらに、入力部１３は非常呼の発信と関連する要請信号を入力される。例えば、火災通報電話、緊急センタ電話に対するボタン入力信号などを入力される。
【００２８】
そして、表示部１４は液晶表示装置（ＬＣＤ）などのような表示装置であって、制御部１５の制御を受け、無線通信端末機の状態やプログラムの進行状況などを表示する。即ち、無線通信端末機の全般的な状態及び入力される内容などを表示する。
【００２９】
図２は、本発明が適用される無線通信網でハンドオフを利用した非常呼の連結方法に対する一実施例の全体のフローチャートである。
【００３０】
ここでは、無線通信端末機１０が第１基地局２０と第２基地局３０に順次にチャンネル割り当てを要請する場合を例にあげて検討する。
【００３１】
先ず、無線通信端末機１０は使用者からの要請に従い非常呼（例：火災通報電話）に対するチャンネル割り当て要請メッセージを現在サービス中の第１基地局２０に送信する（Ｓ２０１）。
【００３２】
そうすると、前記第１基地局２０は可用チャンネルがないことを確認したあと、網負荷通報メッセージを無線通信端末機１０に回信する（Ｓ２０２）。
【００３３】
無線通信端末機１０は、前記第１基地局から網負荷通報メッセージを受信するに伴い、第２基地局３０にチャンネル割り当て要請メッセージを再送信する（Ｓ２０３）。このとき、無線通信端末機１０は内部に格納されている網情報テーブルを検索し、チャンネル割り当て可能性が大きい最適の第２基地局３０を選択する。
【００３４】
以後、第２基地局３０が非常呼のための通話チャンネルを無線通信端末機１０に割り当てるに伴い、呼の連結と関連する一般的な動作を行い（Ｓ２０４）、呼を解除する（Ｓ２０５）。
【００３５】
図３は、本発明に係る無線通信端末機において、ハンドオフを利用した非常呼連結方法に対する一実施例のフローチャートである。
【００３６】
先ず、制御部１５は入力部１３を介し非常呼の発信と関連する信号を入力されるに伴い（Ｓ３０１）、現在サービス中の第１基地局にチャンネル割り当て要請メッセージを送信する（Ｓ３０２）。
【００３７】
以後、前記第１基地局から網負荷通報メッセージを受信するに伴い（Ｓ３０３）、格納部１２に格納されている網情報テーブルを検索し（Ｓ３０４）、チャンネル割り当て可能性の大きい最適の第２基地局を探し出す（Ｓ３０５）。即ち、各基地局のチャンネル、ＳＩＤ、ＮＩＤなどを項目別に含んでいる網情報テーブルを検索し、優先順位に従い最適の第２基地局を選択する。例えば、ＳＩＤ：２００４の第１基地局に１次呼発信を行ったが、網負荷により第１基地局から「Reorder」メッセージを受信したのであれば、２次呼発信を行うときには、ＰＲＬテーブル中で基地局２００４を除いた隣近の基地局のうち最もパワーが強い基地局を検索し、その基地局に２次呼発信をすれば良い。
【００３８】
そして、制御部１５は前記探し出した第２基地局にチャンネル割り当て要請メッセージを送信する（Ｓ３０６）。
【００３９】
以後、前記第２基地局から非常呼のための通話チャンネルを割り当てられるに伴い（Ｓ３０７）、呼連結と関連する一般的な動作を行う（Ｓ３０８）。
【００４０】
前記のように説明した本発明は、現在接続を試みた網（セルラー網）に負荷が発生し割り当て可能な可用チャンネルが存在しない場合、同一の基地局に反復的にチャンネル割り当てを要請することではなく、網情報テーブルの検索を介しチャンネル割り当て可能性の大きい他の網でハンドオフし、非常呼のための通話チャンネルを割り当てられることにより、速やかな非常呼連結を可能にする。
【００４１】
前述のような本発明の方法は、プログラムで具現されてコンピュータで読み取ることができる形態で記録媒体（シーディーロム、ラム、ロム、フロッピー(登録商標)ディスク
、ハードディスク、光磁気ディスクなど）に格納され得る。このような過程は、本発明の属する技術分野で通常の知識を有する者が容易に実施することができるので、これ以上詳しい説明は省略する。
【００４２】
なお、本発明について、好ましい実施の形態を基に説明したが、これらの実施の形態は、例を示すことを目的として開示したものであり、当業者であれば、本発明に係る技術思想の範囲内で、多様な改良、変更、付加等が可能である。このような改良、変更等も、特許請求の範囲に記載した本発明の技術的範囲に属することは言うまでもない。
【産業上の利用可能性】
【００４３】
本発明によれば、非常呼の呼発信の成功率を高めるための、ハンドオフを利用した非常呼連結機能を有する無線通信端末機及びその方法を提供する事ができる。従って、無線通信端末機は移動通信端末機、個人携帯通信端末機（ＰＣＳ）、個人用デジタル端末機（ＰＤＡ）、スマートフォン、次世代移動通信端末機（ＩＭＴ−２０００）、無線ラン端末機などに利用する事ができるだけでなく、個人が携帯しながら無線通信の可能な端末機に応用することが可能である。
【図面の簡単な説明】
【００４４】
【図１】本発明に係るハンドオフを利用した非常呼連結機能を有する無線通信端末機の一実施例の構成を示す図である。
【図２】本発明が適用される無線通信網において、ハンドオフを利用した非常呼連結方法に対する一実施例の全体のフローチャートである。
【図３】本発明に係る無線通信端末機において、ハンドオフを利用した非常呼連結方法に対する一実施例のフローチャートである。
【符号の説明】
【００４５】
１０    無線通信端末機
１１    無線送／受信部
１２    格納部
１３    入力部
１４    表示部
１５    制御部
１６    コーデック
１７    音声出力部
１８    音声入力部
２０    第１基地局
３０    第２基地局
【図１】
2007068188.tif 000003
【図２】
2007068188.tif 000004
【図３】
2007068188.tif 000005